(57)【要約】【課題】自動販売機の金銭投入部周辺のこじ開けによる金銭等の盗難防止に有効で、簡便に防犯効果が得られる自動販売機の盗難防止器具を提供する。【解決手段】自動販売機の前面扉の金銭投入部周辺を保護するＬ字型断面の板状の盗難防止器具であり、該器具は金銭投入部、金銭表示部、金銭返却レバー部、鍵部、およびロックレバー部が穴開けされており、該器具のロックレバー部の穴がロックレバー前部の最大寸法よりも小さい穴形状を有し、ロックレバーを該器具のロックレバー部の穴と前面扉のロックレバー部の穴に前部から合わせて嵌め込むとともに前面扉内側のロックレバー固着用のボルト止めにより該器具を前面扉に固着する構造を有することを特徴とする自動販売機の盗難防止器具。【選択図】図１
0003158231.tif 000002
【実用新案登録請求の範囲】
【請求項１】
ロックレバーにより開閉する前面扉を有する自動販売機において、前面扉の金銭投入部周辺を保護するＬ字型断面の板状の盗難防止器具であり、該器具は金銭投入部、金銭表示部、金銭返却レバー部、鍵部、およびロックレバー部が穴開けされており、該器具のロックレバー部の穴がロックレバー前部の最大寸法よりも小さい穴形状を有し、ロックレバーを該器具のロックレバー部の穴と前面扉のロックレバー部の穴に前部から合わせて嵌め込むとともに前面扉内側のロックレバー固着用のボルト止めにより該器具を前面扉に固着する構造を有することを特徴とする自動販売機の盗難防止器具。
【請求項２】
盗難防止器具が、カム位置調整のスペーサーをさらに設けたロックレバーにより前面扉に固着したものである請求項１記載の盗難防止器具。
【考案の詳細な説明】
【技術分野】
【０００１】  本考案は、自動販売機の盗難防止器具に関し、詳しくは、自動販売機の金銭投入部周辺のこじ開けによる金銭等の盗難を防止でき、簡便に防犯効果が得られる盗難防止器具に関する。
【背景技術】
【０００２】  自動販売機は一般に、販売機本体と、この販売機本体に開閉自在に取り付けられた前面扉とによって構成されている。自動販売機内にはジュース等の商品や金銭が収容されており、自動販売機内の金銭等を狙った盗難が頻発している。自動販売機内の金銭等を盗む場合には、バール等を販売機本体と扉との接合部に側方からさし込み、扉をこじあける事例以外に、前面扉の金銭投入部周辺を工具等を用いて直接破壊し、こじ開ける事例が多数見られている。【０００３】  自動販売機からの金銭等の盗難を防止するため、扉をこじあける盗難に対する対策として、販売機本体と扉とをチェーンやロックアームなどによって連結するロック機構を設ける方法などが一般に実施されており、また、特許文献１のごとく扉と本体の接合部の側方を覆う遮蔽器具や、特許文献２のごとくアーチ形状の盗難防止器具などが開示されている。一方、前面扉の金銭投入部周辺の破壊に対しては、特許文献３のごとくパイプと丸棒とを嵌め合わせ自動販売機の両端にそれぞれ固定する方法などが開示されているが、その対策は不十分であった。又、自動販売機に対し、特別の加工などを施さずに簡便に防犯効果が得られる盗難防止器具が望まれていた。
【先行技術文献】
【特許文献】
【０００４】
【特許文献１】実用新案登録第３０２６５０３号公報
【特許文献２】特開２００２−１５０３９０号公報
【特許文献３】実用新案登録第３０８６８８７号公報
【考案の概要】
【考案が解決しようとする課題】
【０００５】  本考案は上記従来の問題点に着目してなされたものであり、自動販売機の金銭投入部周辺のこじ開けによる金銭等の盗難防止に有効で、簡便に防犯効果が得られる自動販売機の盗難防止器具を提供することを目的とする。
【課題を解決するための手段】
【０００６】  上記の課題を解決すべく、本考案は以下の構成を提供する。請求項１の考案は、ロックレバーにより開閉する前面扉を有する自動販売機において、前面扉の金銭投入部周辺を保護するＬ字型断面の板状の盗難防止器具であり、該器具は金銭投入部、金銭表示部、金銭返却レバー部、鍵部、およびロックレバー部が穴開けされており、該器具のロックレバー部の穴がロックレバー前部の最大寸法よりも小さい穴形状を有し、ロックレバーを該器具のロックレバー部の穴と前面扉のロックレバー部の穴に前部から合わせて嵌め込むとともに前面扉内側のロックレバー固着用のボルト止めにより該器具を前面扉に固着する構造を有することを特徴とする自動販売機の盗難防止器具である。【０００７】  請求項２の考案は、盗難防止器具が、カム位置調整のスペーサーをさらに設けたロックレバーにより前面扉に固着したものである請求項１記載の盗難防止器具である。
【考案の効果】
【０００８】  以上のように本考案によれば、自動販売機の金銭投入部周辺のこじ開けによる金銭等の盗難を簡便な器具の設置により防ぐことができる。又、本考案による盗難防止器具と、従来公知のチェーンやロックアームなどによる方法とを組み合わせることで、防犯効果を一層向上させることができる。
【図面の簡単な説明】
【０００９】
【図１】本考案の第１の実施の形態にかかる自動販売機の盗難防止器具の斜視図である。
【図２】本考案の第１の実施の形態にかかる自動販売機の斜視図である。
【図３】本考案の第１の実施の形態にかかる自動販売機のロックレバーの正面図である。
【図４】本考案の第１の実施の形態にかかる自動販売機の盗難防止器具の斜視図である。
【図５】本考案の第１の実施の形態にかかる自動販売機の盗難防止器具の断面図である。
【図６】本考案の第１及び第２の実施の形態にかかる自動販売機の盗難防止器具の断面図である。
【考案を実施するための形態】
【００１０】  以下、本考案の第１の実施の形態にかかる自動販売機の盗難防止器具を図１から図５の図面に従って説明する。図１において、符号１は、本考案の盗難防止器具の前面部、符号２は盗難防止器具の側面部を表しており、本考案の盗難防止器具はＬ字型断面の板状の形状を有している。又、硬貨および／又は紙幣の金銭投入部、金銭表示部、金銭返却レバー、鍵部、およびロックレバー部が穴開けされた構造を有している。これらの穴開けされた部分は、自動販売機の操作上および保守上で必要な部分であり、穴開けされた状態で本考案の盗難防止器具を使用することにより必要な機能を保持することができる。又、前記以外にも機能上必要な自動販売機の操作箇所、保守箇所がある場合についても、必要箇所を穴開けした状態で該器具を使用することができる。又、該器具の穴開けは、それぞれ単独の箇所ごとに行っても、又、複数の箇所をまとめて１箇所として行ってもよい。
【００１１】  本考案の盗難防止器具の材質としては、ステンレス、炭素鋼、鉄、銅、アルミ、真鍮、などの金属、プラスチック、およびプラスチックに充填材などを配合した強化プラスチックなど、従来公知の素材から選ぶことができる。その中でも特に、ステンレスなどの金属が補強効果に優れている。本考案の盗難防止器具の厚みは、好ましくは、０．５ｍｍ以上、１０ｍｍ以下であり、特に、１．５ｍｍ以上、６ｍｍ以下が好ましい。
【００１２】  次に、本考案の盗難防止器具を用いる自動販売機の例を説明する。本考案の自動販売機は、図２のごとく、前面扉７および本体８で構成され、前面扉は、ロックレバー前部９、鍵穴１０、硬貨の金銭投入部１１、紙幣の金銭投入部１２、返却レバー１３、金銭表示部１４、展示用商品１５、展示用の窓１６、商品受け取り口１７、金銭返却部１８、前面扉と本体との連結部１９などで主として構成されている。商品としては、飲料の他、食物、タバコ、その他従来公知の自動販売機用物品の適用が可能である。ロックレバーはロックレバー前部９の鍵穴に鍵を差込み、レバーを開閉する機構を有する。又、ロックレバー前部９以外の鍵穴として、一般的に別の位置に鍵穴１０が設定されている。
【００１３】  本考案の盗難防止器具を用いる自動販売機のロックレバーは、前面扉内側では、図３のごとく、ロックレバー機構内部２０、ロックレバー固着用ボルト２１、カム２２、カム固着用ボルト２３、挿通穴２４などにより構成されている。
【００１４】  次に、本考案の盗難防止器具の自動販売機への設置の方法について説明する。本考案の盗難防止器具は、図４のごとく、自動販売機の前面扉の金銭投入部分およびその側面部分に設置する。それぞれ、盗難防止器具の前面部１は自動販売機の前面扉の前面に、盗難防止器具の側面部２は自動販売機の前面扉の側面に設置する。
【００１５】  図４におけるＡ−Ａ部の断面図を図５に示す。本考案では、ロックレバーを盗難防止器具のロックレバー部の穴３と前面扉のロックレバー部の穴に前部から合わせて嵌め込むとともに、ロックレバー固着用ボルト２１で止めることにより該器具の前面部１を前面扉７に固着する構造を有している。本考案の盗難防止器具のロックレバー部の穴３は、ロックレバー前部９の最大寸法よりも小さい穴形状を有している。図５において示すように、該器具と前面扉とが、ロックレバー前部９による共締め構造を形成し、該器具が自動販売機から離脱するのを防止している。さらに、ロックレバー固着用ボルト２１で該器具の前面部１を前面扉７に固着した後、カム２２をカム固着用ボルト２３により固着して収納カバー２５に収納し、従来と同様のロックレバー機構を得ることができる。なお、ロックレバー固着用ボルト２１は、カム固着用ボルト２３に対し、同一の高さにあっても、別の高さにあってもよい。
【００１６】  本考案の盗難防止器具の自動販売機への設置に際しては、ロックレバーにより固着する前に、位置合わせおよび／又は固着の強化のため、予め該器具を自動販売機の前面扉の前面部および／又は側面部に、粘着テープ、接着テープ、粘着剤、接着剤などの従来公知の接着方法にて接着しておくことも可能である。又、該器具を自動販売機の前面扉の前面部および／又は側面部とともにチェーンやロックアームによるボルト止め、鍵止めなどにより、さらに固着することも可能である。
【００１７】  次に、本考案の第２の実施の形態にかかる自動販売機の盗難防止器具を図６の断面図に従って説明する。本考案の盗難防止器具の前面扉への固着に際し、ロックレバーのカム位置調整のスペーサー２６をさらに設け、ロックレバーのカム２２を固着することで、該器具を前面扉へ固着するとともに、ロックレバーの位置調整を行うことができる。なお、スペーサー２６の形状は、ロックレバー機構内部２０に準じた円盤状などの形状により構成される。
【００１８】  上記のように本考案の盗難防止器具は、自動販売機の前面扉の金銭投入部周辺を保護し、工具等が前面扉の金銭投入部周辺を直接破壊することを困難とすることで、窃盗犯のこじ開けを防止することができる。又、該器具は金銭投入部周辺を保護している様子を外観でアピールしており、窃盗犯に対する牽制効果、抑止効果を有する。又、自動販売機に対し、特別の加工などを施さずに簡便に防犯効果を得ることができる。
【００１９】  以上、本考案の実施の形態について詳述してきたが、具体的な構成はこの実施の形態に限られたものではなく、使用する自動販売機の形状、大きさに応じて調整することができ、本考案の要旨を逸脱しない範囲における設計の変更などがあっても本考案に含まれる。
【符号の説明】
【００２０】１    盗難防止器具の前面部
２    盗難防止器具の側面部
３    盗難防止器具のロックレバー部の穴
４    盗難防止器具の金銭（硬貨）投入部、金銭表示部、金銭返却レバー部の穴
５    盗難防止器具の金銭（紙幣）投入部の穴
６    盗難防止器具の鍵部の穴
７    自動販売機の前面扉
８    自動販売機の本体
９    ロックレバー前部
１０  鍵部
１１  硬貨の金銭投入部
１２  紙幣の金銭投入部
１３  金銭返却レバー部
１４  金銭表示部
１５  展示用商品
１６  商品展示用窓
１７  商品受け取り口
１８  金銭返却部
１９  前面扉と本体との連結部
２０  ロックレバー機構内部
２１  ロックレバー固着用ボルト
２２  カム
２３  カム固着用ボルト
２４  挿通穴
２５  収納カバー
２６  カム位置調整のスペーサー
【図１】
0003158231.tif 000003
【図２】
0003158231.tif 000004
【図３】
0003158231.tif 000005
【図４】
0003158231.tif 000006
【図５】
0003158231.tif 000007
【図６】
0003158231.tif 000008